(57)【要約】【課題】より簡易な構成で、燃焼用空気の流量の変動があった場合においても流量係数を一定に保てるベンチュリノズル及びこのベンチュリノズルを備える燃料供給装置を提供すること。【解決手段】送風機２０の上流側に配置され、送風機２０の吸込圧により燃焼用空気と燃料ガスとを混合するベンチュリノズル１であって、下流側に向かって縮径した形状に形成され燃焼用空気が導入されるノズル部１２と、ノズル部１２の下流側に配置され、下流側に向かって拡径した形状に形成され燃焼用空気と燃料ガスとが混合される混合部１３と、ノズル部１２と混合部１３との間に配置され燃料ガスが導入される燃料ガス導入口１５と、を備え、ノズル部１２の内面には、複数のディンプル１６が形成されている。【選択図】図３
2017172814.tif 000002
【特許請求の範囲】
【請求項１】
送風機の上流側に配置され、該送風機の吸込圧により燃焼用空気と燃料ガスとを混合するベンチュリノズルであって、
下流側に向かって縮径した形状に形成され燃焼用空気が導入されるノズル部と、
前記ノズル部の下流側に配置され、下流側に向かって拡径した形状に形成され燃焼用空気と燃料ガスとが混合される混合部と、
前記ノズル部と前記混合部との間に配置され燃料ガスが導入される燃料ガス導入口と、を備え、
前記ノズル部の内面には、複数のディンプルが形成されているベンチュリノズル。
【請求項２】
前記ノズル部の内面は、内側に向かって凸となるように湾曲した曲面により形成される請求項１に記載のベンチュリノズル。
【請求項３】
前記ディンプルの直径は、１．５ｍｍ〜６ｍｍであり、該ディンプルの深さは、０．２ｍｍ〜２ｍｍである請求項1又は２に記載のベンチュリノズル。
【請求項４】
前記ノズル部の内面における前記ディンプルの密度は、１個〜３０個／ｃｍ２である請求項３に記載のベンチュリノズル。
【請求項５】
レイノルズ数が２．５Ｅ＋５の場合の流量係数に対するレイノルズ数が１．０Ｅ＋５の場合の流量係数の比が０．９７〜１．００である請求項１〜４のいずれかに記載のベンチュリノズル。
【請求項６】
レイノルズ数が２．５Ｅ＋５の場合の流量係数に対するレイノルズ数が５．０Ｅ＋４の場合の流量係数の比が０．９４〜１．００である請求項１〜５のいずれかに記載のベンチュリノズル。
【請求項７】
前記ノズル部の内面の表面積に対する前記ディンプルが形成された部分の面積の比が０．１〜０．９である請求項１〜６のいずれかに記載のベンチュリノズル。
【請求項８】
請求項１〜７のいずれかに記載のベンチュリノズルと、
前記ベンチュリノズルの下流側に配置される送風機と、
前記送風機の出力を制御する制御部と、を備える燃料供給装置。
【発明の詳細な説明】
【技術分野】
【０００１】
本発明は、ベンチュリノズル及びこのベンチュリノズルを備える燃料供給装置に関する。
【背景技術】
【０００２】
従来、燃料ガスを燃焼用空気と混合して燃焼させることにより水を加熱して蒸気を生成する蒸気ボイラ等の燃焼装置に用いられる燃料供給装置として、燃焼装置に燃焼用空気を送り込む送風機よりも上流側で燃焼用空気と燃料ガスとを混合するファンサクションミキシング方式の予混合バーナが提案されている（例えば、特許文献１参照）。
【先行技術文献】
【特許文献】
【０００３】
【特許文献１】特表２００１−５２６３７２号公報
【発明の概要】
【発明が解決しようとする課題】
【０００４】
ファンサクションミキシング方式の予混合バーナは、送風機と、この送風機の上流側に配置されるベンチュリノズルと、を含んで構成される。そして、ベンチュリノズルは、下流側に向かって縮径した形状に形成され燃焼用空気が導入されるノズル部と、このノズル部の下流側に配置され燃焼用空気と燃料ガスとが混合される混合部と、ノズル部と混合部との間に配置され燃料ガスが導入される燃料ガス導入口と、を含んで構成される。
【０００５】
以上のベンチュリノズルによれば、送風機を駆動させることにより、ノズル部に燃焼用空気が吸入され、このノズル部に引き込まれた燃焼用空気のベンチュリ効果によって燃料ガス導入口から燃料ガスが混合部に引き込まれる。
このように、予混合バーナを、ベンチュリノズルを含んで構成することで、ベンチュリ効果を利用して燃料ガスを効率よく燃焼用空気と混合させられるため、燃料供給装置への燃料ガスの供給圧力を高めることなく、燃料ガスと燃焼用空気とを好適に混合させられる。
【０００６】
しかしながら、ファンサクションミキシング方式の予混合バーナにおいて、送風機の出力を変化させて燃焼量を変更した場合、燃料ガスと燃焼用空気の混合比（空気比）を一定に保つことが困難であった。即ち、送風機の出力が大きい場合（つまり、燃焼用空気の流量が大きい場合）に比して、送風機の出力が小さい場合（つまり、燃焼用空気の流量が小さい場合）、ベンチュリノズルの表面において発生する境界層剥離の影響が大きくなり、ベンチュリノズルに導入される燃焼用空気の流量係数が低下してしまう。ベンチュリノズルにおいては、燃焼用空気の供給圧力（大気圧）と燃料ガスの供給圧力とを一定の関係に保つことで空気比も一定に保たれるため、流量係数が変化してしまうと、空気比を一定に保つことはできない。そのため、従来の燃料供給装置では、燃焼量の変化（つまり、燃焼用空気の供給量の変化）に伴う流量係数の変化に応じて、燃料ガスの供給圧力を調整するガス圧力の調整機構を必要としていた。
【０００７】
従って、本発明は、より簡易な構成で、燃焼用空気の流量の変動があった場合においても流量係数を一定に保てるベンチュリノズル及びこのベンチュリノズルを備える燃料供給装置を提供することを目的とする。
【課題を解決するための手段】
【０００８】
本発明は、送風機の上流側に配置され、該送風機の吸込圧により燃焼用空気と燃料ガスとを混合するベンチュリノズルであって、下流側に向かって縮径した形状に形成され燃焼用空気が導入されるノズル部と、前記ノズル部の下流側に配置され、下流側に向かって拡径した形状に形成され燃焼用空気と燃料ガスとが混合される混合部と、前記ノズル部と前記混合部との間に配置され燃料ガスが導入される燃料ガス導入口と、を備え、前記ノズル部の内面には、複数のディンプルが形成されているベンチュリノズルに関する。
【０００９】
また、前記ノズル部の内面は、内側に向かって凸となるように湾曲した曲面により形成されることが好ましい。
【００１０】
また、前記ディンプルの直径は、１．５ｍｍ〜６ｍｍであり、該ディンプルの深さは、０．２ｍｍ〜２ｍｍであることが好ましい。
【００１１】
また、前記ノズル部の内面における前記ディンプルの密度は、１個〜３０個／ｃｍ２であることが好ましい。
【００１２】
また、ベンチュリノズルは、レイノルズ数が２．５Ｅ＋５の場合の流量係数に対するレイノルズ数が１．０Ｅ＋５の場合の流量係数の比が０．９７〜１．００であることが好ましい。
【００１３】
また、ベンチュリノズルは、レイノルズ数が２．５Ｅ＋５の場合の流量係数に対するレイノルズ数が５．０Ｅ＋４の場合の流量係数の比が０．９４〜１．００である請求項１〜５のいずれかに記載のベンチュリノズル。
【００１４】
また、ベンチュリノズルは、前記ノズル部の内面の表面積に対する前記ディンプルが形成された部分の面積の比が０．１〜０．９であることが好ましい。
【００１５】
また、本発明は、上記のいずれかに記載のベンチュリノズルと、前記ベンチュリノズルの下流側に配置される送風機と、前記送風機の出力を制御する制御部と、を備える燃料供給装置に関する。
【発明の効果】
【００１６】
本発明によれば、より簡易な構成で、燃焼用空気の流量の変動があった場合においても流量係数を一定に保てるベンチュリノズル及びこのベンチュリノズルを備える燃料供給装置を提供できる。
【図面の簡単な説明】
【００１７】
【図１】本発明の燃料供給装置の構成を模式的に示す図である。
【図２】本発明の一実施形態に係るベンチュリノズルのノズル部を示す斜視図である。
【図３】図２のＸ−Ｘ線断面図である。
【図４】比較例１のベンチュリノズルのノズル部を示す断面図であり、図３に対応する図である。
【図５】比較例２のベンチュリノズルのノズル部を示す断面図であり、図３に対応する図である。
【図６】実施例及び比較例の結果を示す図である。
【発明を実施するための形態】
【００１８】
以下、本発明のベンチュリノズル及び燃料供給装置の好ましい各実施形態について、図面を参照しながら説明する。
本実施形態の燃料供給装置１００は、送風機よりも上流側で燃焼用空気と燃料ガスとを混合するファンサクションミキシング方式の予混合バーナであり、蒸気ボイラ等の燃焼装置（図示せず）に燃料ガス及び燃焼用空気の混合気を供給する。この燃料供給装置１００は、送風機２０と、制御部３０と、ベンチュリノズル１と、燃料ガス供給ライン４０と、第１混合気供給ライン５０と、第２混合気供給ライン６０と、を備える。
【００１９】
送風機２０は、ファン及びこのファンを回転させるモータを有する送風機本体２１と、ファン（モータ）の回転数を増減させるインバータ２２と、を備える。送風機２０は、インバータ２２に入力される周波数に応じてファンが所定の回転数で回転することで、所定の出力で燃焼用空気及び燃料ガスを吸引し、燃焼装置に送り込む。
【００２０】
制御部３０は、燃焼装置の燃焼状態（例えば、蒸気ボイラの燃焼位置）に応じて送風機２０の出力を変更して燃焼装置に供給される燃焼用空気の流量を制御する。具体的には、燃焼装置を高い燃焼位置で燃焼させる場合の送風機２０の出力は、低い燃焼位置で燃焼させる場合の送風機２０の出力よりも高く設定される。
【００２１】
ベンチュリノズル１は、送風機２０の上流側に配置される。ベンチュリノズル１は、ケーシング１１と、ノズル部１２と、混合部１３と、燃料ガス流路１４と、燃料ガス導入口１５と、を備える。
ケーシング１１は、例えば、アルミニウムやステンレス等の金属部材により一端側及び他端側が開放された筒状に構成される。ケーシング１１は、ベンチュリノズル１の外形を構成する。
【００２２】
ノズル部１２は、ケーシング１１の内部に配置される。より具体的には、ノズル部１２は、下流側に向かって縮径した形状に形成される、そして、ノズル部１２の上流側の端部は、全周に亘ってケーシング１１の上流側の端部に接合される。
ノズル部１２は、燃焼用空気が導入される燃焼用空気の導入部として機能する。
【００２３】
本実施形態では、ノズル部１２は、図２及び図３に示すように、軸方向の断面形状が内側に向かって凸となるように湾曲した曲面となった円錐台形状に形成される。より詳細には、ノズル部１２の内面は、径方向断面視において、下流側端部側に配置された直線部分１２１と、所定の半径Ｒの内側に凸となるように湾曲した四分円の曲面部分１２２と、を有する。
ノズル部１２の内面には、図２及び図３に示すように、多数（複数）のディンプル１６が形成されている。ディンプル１６の詳細については、後述する。
【００２４】
混合部１３は、ケーシング１１の内部におけるノズル部１２の下流側に配置され、下流側に向かって拡径した形状に形成される。混合部１３の上流側の端部の径は、ノズル部１２の下流側の端部の径よりも若干大きく構成される。また、混合部１３の上流側の端部は、ノズル部１２の下流側の端部と重なり合う位置に配置される。混合部１３の下流側の端部は、全周に亘ってケーシング１１の下流側の端部に接合される。本実施形態では、混合部１３は、図２及び図３に示すように、円錐台形状に形成される。
混合部１３は、ノズル部１２から導入される燃焼用空気と、後述の燃料ガス導入口１５から導入される燃料ガスとを混合する。
【００２５】
燃料ガス流路１４は、ケーシング１１の内面と、ノズル部１２の外面及び混合部１３の外面とに囲まれた空間により形成される。この燃料ガス流路１４には、後述の燃料ガス供給ライン４０から燃料ガスが供給される。
【００２６】
燃料ガス導入口１５は、ノズル部１２と混合部１３との間に配置される。具体的には、燃料ガス導入口１５は、ノズル部１２の下流側の端部と混合部１３の上流側の端部との間に形成される隙間により形成される。
【００２７】
燃料ガス供給ライン４０は、ベンチュリノズル１に燃料ガスを供給する。燃料ガス供給ライン４０の上流側は、燃料ガス供給源（図示せず）に接続される。燃料ガス供給ライン４０の下流側は、ケーシング１１に接続される。
燃料ガス供給ライン４０には、均圧弁４１及びオリフィス４２が配置される。均圧弁４１オリフィス４２は、燃料ガス供給ライン４０を流通する燃料ガスの圧力を設定された圧力に減圧してベンチュリノズル１側に供給する。
【００２８】
第１混合気供給ライン５０は、ベンチュリノズル１と送風機２０とを接続する。第１混合気供給ライン５０は、混合部１３において混合された燃料ガスと燃焼用空気との混合気を送風機２０側に流通させる。
【００２９】
第２混合気供給ライン６０は、送風機２０と燃焼装置（図示せず）とを接続する。第２混合気供給ライン６０は、送風機２０に送り込まれた混合気を燃焼装置側に流通させる。
【００３０】
以上の燃料供給装置１００によれば、制御部３０により送風機２０を所定の出力で駆動させると、燃焼用空気は、下流側に向かって縮径したノズル部１２に引き込まれ、その後、下流側に向かって拡径した混合部１３に引き込まれる。また、燃料ガス流路１４には、燃料ガス供給ライン４０から所定の圧力で燃料ガスが供給される。すると、ノズル部１２に引き込まれ、更に混合部１３に引き込まれた燃焼用空気のベンチュリ効果によって、燃料ガス流路１４に供給された燃料ガスは、燃料ガス導入口１５から混合部１３に引き込まれる。これにより、ベンチュリノズル１においては、ベンチュリ効果を利用することで燃料ガスの供給圧を高めることなく、燃焼用空気と燃料ガスとを効率的に混合させられる。
混合部１３において混合された燃焼用空気と燃料ガスとの混合気は、第１混合気供給ライン５０、送風機２０及び第２混合気供給ライン６０を通って燃焼装置に供給され、燃焼装置において燃焼される。
【００３１】
ここで、ベンチュリノズル１においては、理想的には、以下の関係式が成り立つ。
【００３２】
【数１】
2017172814.tif 000003
【００３３】
上記の式に加え、均圧弁４１を用いてＰｇ１＝Ｐａ１（Ｐａｔｍ（大気圧））を保つことで、ベンチュリミキシングでは、ＱｇとＱａの比例関係が保たれる。これにより、他の混合方式において必要とされる、空気比（燃焼用空気と燃料ガスとの混合比）を一定に保つための機械的又は電気的な燃料ガスの圧力調整機構を含むことなく、一定の空気比を実現できる。
【００３４】
しかしながら、従来のベンチュリノズルを含んで構成されるファンサクションミキシング方式の予混合バーナにおいて、送風機の出力を変化させて燃焼量を変更した場合、燃料ガスと燃焼用空気の混合比（空気比）を一定に保つことが困難であった。即ち、送風機の出力が大きい場合（つまり、燃焼用空気の流量が大きい場合）に比して、送風機の出力が小さい場合（つまり、燃焼用空気の流量が小さい場合）、ベンチュリノズルの表面において発生する境界層剥離の影響が大きくなると考えられ、これによりベンチュリノズルに導入される燃焼用空気の流量係数が低下してしまう。ベンチュリノズルにおいては、燃焼用空気の供給圧力Ｐａ１（大気圧）と燃料ガスの供給圧力Ｐｇ１とを一定の関係に保つことで空気比も一定に保たれるため、流量係数が変化してしまうと、空気比を一定に保つことはできない。
【００３５】
ここで、流量係数Ｃは、以下の式にて表される。流量係数の低下は、流れの損失の増大を示す。
【００３６】
【数２】
2017172814.tif 000004
ここで、ｖは流速、ｐは圧力、ρは密度を示す。また、添字２はノズル最狭部（図１におけるＰａ２の位置に相当）での値、添字１はノズル入口（図１におけるＰａ１の位置に相当）での値を示す。
【００３７】
そこで、本実施形態では、ノズル部１２の内面に複数のディンプル１６を形成してベンチュリノズル１を構成した。これにより、ノズル部１２に形成した複数のディンプル１６によりノズル部１２の表面において乱流を生じさせて境界層剥離の発生を抑制できる。よって、燃焼用空気の流量が小さい場合と大きい場合とにおいて、ベンチュリノズル１に導入される燃焼用空気の圧力に生じる変動を抑制できるので、燃焼用空気の流量の変動があった場合においても流量係数Ｃを安定化させられ、空気比を一定に保てる。
【００３８】
ノズル部１２に形成するディンプル１６の直径は、圧力損失を低減しつつ、低流量時における流量係数Ｃの低下を効果的に抑制する観点から、１．５ｍｍ〜６ｍｍであることが好ましく、２ｍｍ〜４ｍｍであることがより好ましい。
また、ディンプル１６の深さは、同様の観点から０．２ｍｍ〜２ｍｍであることが好ましい。
更に、ノズル部１２の内面におけるディンプル１６の密度は、同様の観点から、１個〜３０個／ｃｍ２であることが好ましく、３個〜１５個／ｃｍ２であることがより好ましく、４個〜１０個／ｃｍ２であることが更に好ましい。
【００３９】
また、ノズル部１２の曲面部分１２２の内面の表面積に対するディンプル１６が形成された部分の面積の比は、０．１〜０．９であることが好ましく、０．２〜０．７であることがより好ましい。尚、ここで、「ディンプル１６が形成された部分の面積」とは、ディンプル１６が配置された領域におけるディンプル１６により排除されたノズル部１２の内面の表面積を示す。
【００４０】
また、本実施形態のベンチュリノズル１を、送風機の出力を大きく変化させる燃焼装置（例えば、ターンダウン比率の大きい蒸気ボイラ）に適用する場合に、高流量時と低流量時とにおける空気比の変動を抑制する観点から、レイノルズ数が２．５Ｅ＋５の場合の流量係数Ｃ１に対するレイノルズ数が１．０Ｅ＋５の場合の流量係数Ｃ２の比（Ｃ２／Ｃ１）が０．９７〜１．００であることが好ましい。また、同様の観点から、レイノルズ数が２．５Ｅ＋５の場合の流量係数Ｃ１に対するレイノルズ数が５．０Ｅ＋４の場合の流量係数Ｃ３の比（Ｃ３／Ｃ１）が０．９４〜１．００であることが好ましく、０．９５〜１．００であることがより好ましい。
【実施例】
【００４１】
次に、本発明を実施例及び比較例に基づいて更に詳細に説明するが、本発明はこれに限定されるものではない。
【００４２】
［流量係数の測定］
ノズル部１２の内面に複数のディンプル１６を形成したノズル部１２を具備する実施例１及び２のベンチュリノズル１、並びにディンプルを形成していないノズル部１２０を具備する比較例１及び２のベンチュリノズルにつき、燃焼用空気の流量を変化させて、各流量におけるノズル部の入口の流量係数を測定した。
【００４３】
［比較例１］
図４に示すディンプルが形成されていないノズル部１２０を用いた比較例のベンチュリノズルを製造し、燃焼用空気の流量を変化させて各流量における流量係数を測定した。
ノズル部１２０として、上流側端部の直径Ｄ１が下流側端部の直径Ｄ２の約１．７５倍であり、内面は、径方向断面視において、下流側端部側に直線部分１２１を有すると共に、半径Ｒが下流側端部の直径Ｄ２の約０．４倍の内側に凸となるように湾曲した四分円の曲面部分１２２を有するものを用いた。このノズル部１２０の長さＤ３は、下流側端部の直径Ｄ２の約０．５倍の長さであった。
【００４４】
［実施例１］
図２及び図３に示す実施例１のノズル部１２を用いたベンチュリノズル１につき、燃焼用空気の流量を変化させ、各流量における流量係数を測定した。
実施例１のノズル部１２は、比較例１と同様のノズル部を用い、このノズル部１２の内面の曲面部分１２２に複数のディンプル１６を形成して製造した。
【００４５】
実施例１のディンプル１６は、直径２．８ｍｍ、深さ０．６ｍｍに形成される。また、ディンプル１６の密度は、４．５個／ｃｍ２となる。
【００４６】
また、ノズル部１２（曲面部分１２２）の内面の表面積に対するディンプル１６が形成された部分の面積の比は、０．２２〜０．３５程度であり、平均で０．２５となる。
【００４７】
［実施例２］
実施例２のノズル部１２を用いたベンチュリノズルにつき、燃焼用空気の流量を変化させ、各流量における流量係数を測定した。
実施例２のノズル部１２は、実施例１と同じ大きさのディンプル１６を、より高密度で配置して製造した。
実施例２のディンプル１６は、直径２．８ｍｍ、深さ０．６ｍｍに形成される。また、ディンプル１６の密度は、７．５個／ｃｍ２となる。
【００４８】
また、ノズル部１２（曲面部分１２２）の内面の表面積に対するディンプル１６が形成された部分の面積の比は、０．３７〜０．５８程度であり、平均で０．４１となる。
【００４９】
［比較例２］
図５に示す比較例２のノズル部１２０を用いたベンチュリノズルにつき、燃焼用空気の流量を変化させ、各流量における流量係数を測定した。
比較例２のノズル部１２０は、上流側端部の直径Ｄ１、下流側端部の直径Ｄ２及び長さＤ３は実施例１と同じ大きさであるが、内面は、径方向断面視において、下流側端部側から第１の直線部分１２３、第２の直線部分１２４、及び第３の直線部分１２５を有する不連続な複数の内面を有するものを用いた。
【００５０】
以上の実施例１及び２、並びに比較例１及び２の結果を図６及び表１に示す。
【００５１】
【表１】
2017172814.tif 000005
【００５２】
図６及び表１に示すように、ノズル部１２の内面に複数のディンプル１６を形成した実施例１及び２のベンチュリノズルでは、ディンプル１６を形成していない比較例１のベンチュリノズルに比して、低流量（低レイノルズ数）時における流量係数の低下傾向が小さくなっていることが確認された。特に、ディンプル１６の密度の高い実施例２のベンチュリノズルでは、流量係数の低下傾向が特に小さいことが確認された。
【００５３】
より具体的には、実施例１及び２のベンチュリノズルでは、レイノルズ数が２．５Ｅ＋５の場合の流量係数Ｃ１に対するレイノルズ数が１．０Ｅ＋５の場合の流量係数Ｃ２の比（Ｃ２／Ｃ１）が０．９７以上に保たれており、低流量域における流量係数Ｃの低下傾向が抑制されていることが確認された。
レイノルズ数が２．５Ｅ＋５〜１．０Ｅ＋５の範囲において、流量係数Ｃの変化率を抑制することで、例えば、ベンチュリノズルを送風機の出力を大きく変化させる燃焼装置（例えば、ターンダウン比率の大きい蒸気ボイラ）に適用した場合においても、安定した燃焼状態を実現できる。
【００５４】
更に、実施例２のベンチュリノズルでは、レイノルズ数が２．５Ｅ＋５の場合の流量係数Ｃ１に対するレイノルズ数が５．０Ｅ＋４の場合の流量係数Ｃ２の比（Ｃ３／Ｃ１）も０．９７以上に保たれており、低流量域における流量係数Ｃの低下傾向が特に抑制されていることが確認された。
【００５５】
一方、不連続な複数の内面を有するノズル部１２０を用いた比較例２のベンチュリノズルでは、図６及び表１に示すように、流量の変化に対する流量係数の変化は少なくなっているが、四分円の曲面を有するノズル部１２を用いたベンチュリノズルに比して、全体的に流量係数が小さくなっていることが確認された。この結果から、比較例２のベンチュリノズルでは、実施例１及び２のベンチュリノズルに比して、損失が大きくなっていることが示された。
【００５６】
以上の結果から、内面に複数のディンプル１６が形成されたノズル部１２を有する実施例１及び２のベンチュリノズルでは、流量を変化させた場合における流量係数を一定に保てることが示された。また、ノズル部１２の内面を曲面に形成することで、流量係数を高く維持しつつ流量係数の安定化を実現できることが示された。
【００５７】
以上説明した本実施形態のベンチュリノズル１及び燃料供給装置１００によれば、以下の効果が奏される。
【００５８】
（１）燃焼量を変更可能な燃料供給装置を、ベンチュリノズル及びこのベンチュリノズルの下流側に配置される送風機を含んで構成した場合、送風機の出力を大きくして供給する燃料ガス及び燃焼用空気の流量を大きくした場合（燃焼量を大きくした場合）と送風機の出力を小さくして供給する燃料ガス及び燃焼用空気の流量を少なくした場合（燃焼量を小さくした場合）とにおいて、空気比（燃料ガスと燃焼用空気の混合比）を一定に保つことが困難であった。即ち、送風機の出力が大きい場合（つまり、燃焼用空気の流量が大きい場合）に比して、送風機の出力が小さい場合（つまり、燃焼用空気の流量が小さい場合）、ベンチュリノズルの表面において発生する境界層剥離の影響が大きくなり、ベンチュリノズルに導入される燃焼用空気の流量係数が低下してしまう。そのため、従来の燃料供給装置では、燃焼量の変化（つまり、燃焼用空気の供給量の変化）に伴う流量係数の変化に応じて、燃料ガスの供給圧力を調整するガス圧力の調整機構を必要としていた。
そこで、ベンチュリノズル１を、ノズル部１２の内面に複数のディンプル１６を形成して構成し、このベンチュリノズル１を含んで燃料供給装置１００を構成した。これにより、ノズル部１２に形成した複数のディンプル１６によりノズル部１２の表面において乱流を生じさせて境界層剥離の発生を抑制できるので、燃焼用空気の流量が小さい場合における流量係数の低下を抑制できる。よって、燃焼用空気の流量の変動があった場合においてもベンチュリノズル１における流量係数を一定に保てるので、燃焼用空気の流量の変動があった場合でも、燃焼用空気と燃料ガスとの混合比（空気比）を一定に保てる。その結果、ターンダウン比の高いボイラにおいても、燃焼量変化に伴うガス圧力調整機構等を含むことなく、ボイラを構成できるので、ベンチュリノズル１を含んで構成される燃料供給装置１００及びこの燃料供給装置１００を含んで構成されるボイラの製造コストを低減できる。
また、燃焼用空気と燃料ガスとの混合比（空気比）を一定に保てるため、ガス圧力調整機構を含んで燃料供給装置を構成した場合においても、ガス圧力調整機構への依存度を下げられ、より簡易な制御によって、空気比を安定させられる。
【００５９】
（２）ノズル部１２の内面を、内側に向かって凸となるように湾曲した曲面により構成した。これにより、流量係数を高く維持しつつ流量係数の安定化を実現できる。よって、ベンチュリノズル１における圧力損失を小さくできるので、送風機２０の負荷を軽減でき、エネルギ損失の抑制及び流量特性の安定化を両立させられる。
【００６０】
以上、本発明のベンチュリノズル及び燃料供給装置の好ましい各実施形態につき説明したが、本発明は、上述の実施形態に制限されるものではなく、適宜変更が可能である。
例えば、本実施形態では、ディンプル１６を、内面から凹んだ形状に形成したがこれに限らない。即ち、ディンプルを内面から突出する形状に形成してもよい。
【００６１】
また、ディンプル１６の大きさ（直径及び深さ）、及び密度は、実施例に制限されない。
【００６２】
また、燃料供給装置を、ベンチュリノズルに供給される燃料ガスの圧力を調整するガス圧力調整機構を含んで構成してもよい。
【符号の説明】
【００６３】
１  ベンチュリノズル
１２  ノズル部
１３  混合部
１５  燃料ガス導入口
１６  ディンプル
２０  送風機
３０  制御部
１００  燃料供給装置
【図１】
2017172814.tif 000006
【図２】
2017172814.tif 000007
【図３】
2017172814.tif 000008
【図４】
2017172814.tif 000009
【図５】
2017172814.tif 000010
【図６】
2017172814.tif 000011